(57)【要約】【課題】機器における状態変化の内容をユーザーへ的確に通知しつつ、操作性の低下を回避する。【解決手段】操作画面Ｄ１に対するタッチ操作を受け付ける操作受付部と、本電子機器に予め定められた状態の変化が生じた場合に、当該変化の内容を示す通知画像を操作画面Ｄ１上に表示させる表示制御部とを備え、表示制御部が、操作受付部が操作画面Ｄ１上に表示されている中期的通知画像の小サイズ化への要求を受け付けた場合には、小サイズ化した中期的通知画像を操作画面Ｄ１上に表示させ、一方、操作受付部が操作画面Ｄ１上に表示されている長期的通知画像Ｇｃの小サイズ化への要求を受け付けた場合に、小サイズ化した長期的通知画像Ｇｃ１を、操作画面Ｄ１により表示している表示情報の表示を阻害しない予め定められた領域Ｅ２に表示させる。【選択図】図６
2018018455.tif 000002
【特許請求の範囲】
【請求項１】
タッチパネル機能を備える表示部と、
前記表示部の表示制御を行う表示制御部と、
前記表示部に表示されている操作画面に対するタッチ操作を、前記表示部に設けられたタッチパネル機能により受け付ける操作受付部と、を備え、
前記表示制御部は、本電子機器に予め定められた状態の変化が生じた場合に、当該変化の内容を示す通知画像として、（１）予め定められた中長期的な時間で表示され、時間が経過すると表示が不要になる中期的通知画像と、（２）時間経過とは無関係に表示が維持され続ける長期的通知画像とを、前記操作画面上に重ねて表示させ、
さらに、前記表示制御部は、前記操作受付部が前記操作画面上に表示されている前記中期的通知画像について、予め定められた小サイズに変更する小サイズ化の要求を受け付けた場合に、小サイズ化した前記中期的通知画像を前記操作画面内に表示させ、前記操作受付部が前記操作画面上に表示されている前記長期的通知画像について前記小サイズ化の要求を受け付けた場合には、小サイズ化した前記長期的通知画像を、前記操作画面により表示している表示情報の表示を阻害しない予め定められた領域に表示させる電子機器。
【請求項２】
前記表示制御部は、前記操作受付部が小サイズ化した前記長期的通知画像又は前記中期的通知画像の元のサイズへの復元要求を受け付けた場合、元のサイズの前記長期的通知画像又は前記中期的通知画像を、小サイズ化前に表示されていた領域に表示させる請求項１に記載の電子機器。
【請求項３】
前記操作受付部により受け付けられたドラッグ操作のドラッグ方向を検出するドラッグ方向検出部と、
前記操作受付部により受け付けられたドラッグ操作のドラッグ量を検出するドラッグ量検出部と、を備え、
前記表示制御部は、小サイズ化した前記中期的通知画像に対するドラッグ操作を前記操作受付部が受け付けた場合、前記ドラッグ方向検出部によって検出されたドラッグ方向から算出した移動方向と、前記ドラッグ量検出部により検出されたドラッグ量から算出した移動量で、小サイズ化した前記中期的通知画像を前記操作画面上で移動させる請求項１又は請求項２に記載の電子機器。
【請求項４】
請求項１乃至請求項３のいずれかに記載の電子機器であって、
記録媒体に対して画像形成を行う画像形成部を更に備える画像形成装置。
【発明の詳細な説明】
【技術分野】
【０００１】
本発明は、電子機器及び画像形成装置に関し、特に機器の状態変化をユーザーに通知する技術に関する。
【背景技術】
【０００２】
電子機器に状態の変化が生じた場合にその変化の内容をユーザーへ通知する技術として、状態変化の内容を示す通知画像を電子機器の表示部に表示させることが知られている。例えば、下記の特許文献１には、変化内容をバナーで操作画面上に表示させることが記載され、下記の特許文献２には、メールの着信を示した着信通知画面を操作画面上に表示させることが記載されている。
【先行技術文献】
【特許文献】
【０００３】
【特許文献１】特表２０１４−５１９１２６号公報
【特許文献２】特開２０１２−２４８０９０号公報
【発明の概要】
【発明が解決しようとする課題】
【０００４】
上記バナーや着信通知画面などの通知画像が操作画面上から表示後すぐに消去されれば良いが、通知画像が操作画面上に継続的に表示されると、ユーザー操作に支障をきたすおそれがある。特に、表示部がタッチパネル機能を有している場合、通知画像を操作画面上に継続的に表示させることは、ユーザー操作の大きな阻害要因となり得る。しかしながら、ユーザーが解決すべき問題を上記バナー等によりユーザーに認識させたい場合には、当該バナーの表示を短時間で非表示にすることは好ましくない。
【０００５】
本発明は、上記の事情に鑑みなされたものであり、機器における状態変化の内容をユーザーへ的確に通知しつつ、操作性の低下を回避することを目的とする。
【課題を解決するための手段】
【０００６】
状態変化の内容を示す通知画像については、一時的に表示される「一時的通知画像」と、中長期的に表示される「中長期的通知画像」とに大別することができる。例えば、複合機などの画像形成装置においては、給紙される用紙のサイズが変更されたことを示す通知画像については、例えば数秒程度表示すれば良いが、スキャナーがクリーニング中であることや故障が発生したことを示す通知画像については、数秒程度の表示では足りず、これよりも長い時間での表示が必要になる。従って、前者の通知画像は「一時的通知画像」となり、後者の通知画像は「中長期的通知画像」となる。
【０００７】
また、「中長期的通知画像」については、さらに「中期的通知画像」と「長期的通知画像」とに分けることができる。例えば、スキャナーがクリーニング中であることを示す通知画像については、クリーニングが完了すれば（すなわち、クリーニングに必要な時間が経過すれば）消去することができるが、故障が発生したことを示す通知画像については、故障が直るまで消去することはできない。従って、前者の通知画像については、時間が経過すると表示の必要の無くなる「中期的通知画像」となり、後者の通知画像については、人的処置が必要であり、時間が経過しただけでは表示の必要の無くならない「長期的通知画像」となる。
【０００８】
本発明は上記知見に基づきなされた発明であり、本発明の一局面に係る電子機器は、タッチパネル機能を備える表示部と、前記表示部の表示制御を行う表示制御部と、前記表示部に表示されている操作画面に対するタッチ操作を、前記表示部に設けられたタッチパネル機能により受け付ける操作受付部と、を備え、前記表示制御部は、本電子機器に予め定められた状態の変化が生じた場合に、当該変化の内容を示す通知画像として、（１）予め定められた中長期的な時間で表示され、時間が経過すると表示が不要になる中期的通知画像と、（２）時間経過とは無関係に表示が維持され続ける長期的通知画像とを、前記操作画面上に重ねて表示させ、さらに、前記表示制御部は、前記操作受付部が前記操作画面上に表示されている前記中期的通知画像について、予め定められた小サイズに変更する小サイズ化の要求を受け付けた場合に、小サイズ化した前記中期的通知画像を前記操作画面内に表示させ、前記操作受付部が前記操作画面上に表示されている前記長期的通知画像について前記小サイズ化の要求を受け付けた場合には、小サイズ化した前記長期的通知画像を、前記操作画面により表示している表示情報の表示を阻害しない予め定められた領域に表示させるものである。
【０００９】
また、本発明の一局面に係る画像形成装置は、上記電子機器であって、記録媒体に対して画像形成を行う画像形成部を更に備えるものである。
【発明の効果】
【００１０】
本発明によれば、状態変化の内容を示す中期的通知画像及び長期的通知画像が操作画面上に重ねて表示されるので、電子機器の状態変化の内容をユーザーに的確に通知することができる。また、中期的通知画像及び長期的通知画像は、ユーザーからの要求に応じて小サイズ化されるので、それまで操作画面に表示されていた内容についてのユーザーの視認性を阻害し難くできる。
【００１１】
また、小サイズ化した中期的通知画像は、操作画面上に表示され、小サイズ化した長期的通知画像は、操作画面により表示している表示情報の表示を阻害しない予め定められた領域に表示されることで表示による通知が必要な時間の長短に応じて表示態様を異ならせているため、中期的通知画像及び長期的通知画像のそれぞれに応じて個別に、電子機器における状態変化の内容をユーザーへ的確に通知しつつ、操作性の低下を回避することができる。
【図面の簡単な説明】
【００１２】
【図１】本発明の第１実施形態に係る画像形成装置の主要内部構成を概略的に示した機能ブロック図である。
【図２】第１実施形態に係る画像形成装置における制御ユニットの行う処理の一例を示したフローチャートである。
【図３】表示部に表示される操作画面の一例を示した図である。
【図４】表示部に表示されている操作画面上に通知画像が表示された状態の一例を示した図であり、（Ａ）は一時的通知画像の一例を示し、（Ｂ）は中期的通知画像の一例を示し、（Ｃ）は長期的通知画像の一例を示している。
【図５】第１実施形態に係る画像形成装置における制御ユニットの行う処理の一例を示したフローチャートである。
【図６】（Ａ）は、通常サイズの長期的通知画像が表示部に表示された状態の一例を示した図であり、（Ｂ）は、小サイズ化した長期的通知画像が表示部に表示された状態の一例を示した図である。
【図７】第１実施形態に係る画像形成装置における制御ユニットの行う処理の一例を示したフローチャートである。
【図８】（Ａ）は、通常サイズの中期的通知画像が表示部に表示された状態の一例を示した図であり、（Ｂ）、（Ｃ）は、小サイズ化した中期的通知画像が表示部に表示された状態の一例を示した図である。
【発明を実施するための形態】
【００１３】
以下、本発明に係る電子機器及び画像形成装置の実施の形態を図面に基づいて説明する。図１は、本発明の第１実施形態に係る電子機器である画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、ファクシミリ通信部７１、及びネットワークインターフェイス部９１を含んで構成されている。
【００１４】
原稿給送部６は、読取対象の原稿を原稿読取部５へ給送する。原稿読取部５は、制御ユニット１０を構成する制御部１００による制御の下、光照射部を使って原稿を照射し、その反射光を受光することによって、原稿から画像を読み取る。原稿読取部５による当該原稿読取で得られた画像データは画像メモリー３２に記憶される。
【００１５】
画像形成部１２は、印刷すべき画像のトナー像を用紙（記録媒体）上に形成する。画像メモリー３２は、原稿読取部５による読み取りで得られた原稿の画像データを一時的に記憶したり、画像形成部１２のプリント対象となるデータを一時的に保存したりするための領域である。
【００１６】
ＨＤＤ９２は、原稿読取部５によって読み取られた原稿画像等を記憶する大容量の記憶装置である。定着部１３は、用紙上のトナー像を、熱圧着により用紙に定着させる。給紙部１４は、給紙カセット（図略）を備え、給紙カセットに収容された用紙をピックアップして搬送する。
【００１７】
操作部４７は、画像形成装置１が実行可能な各種動作及び処理について操作者から画像形成動作実行指示や原稿読取動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１８】
ファクシミリ通信部７１は、ファクシミリの通信を行い、ネットワークインターフェイス部９１は、ローカルエリア内、又はインターネット上のパーソナルコンピューター（パソコン）等の外部装置２０と種々のデータの送受信を行うものである。
【００１９】
制御ユニット１０は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＡＳＩＣ、ＭＰＵ等である。制御ユニット１０は、画像形成装置１の全体的な動作制御を司る制御部１００と、操作受付部１０１と、ドラッグ方向検出部１０２と、ドラッグ量検出部１０３と、表示制御部１０４と、を備えている。
【００２０】
制御ユニット１０は、ＨＤＤ９２にインストールされている制御プログラムに従った動作により、制御部１００、操作受付部１０１、ドラッグ方向検出部１０２、ドラッグ量検出部１０３、及び表示制御部１０４として機能するものである。但し、制御部１００等は、制御ユニット１０による制御プログラムに従った動作によらず、それぞれハードウェア回路により構成することも可能である。以下、特に触れない限り、各実施形態について同様である。
【００２１】
制御部１００は、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１と接続され、これら各部の駆動制御を行う。
【００２２】
操作受付部１０１は、操作部４７から出力される検知信号に基づき、ユーザーにより入力されたユーザー操作を特定する。例えば、操作受付部１０１は、表示部４７３に表示されている操作画面に対するタッチ操作（例えば、タップ操作やドラッグ操作）を、表示部４７３に設けられたタッチパネル機能により受け付ける。そして、操作受付部１０１は、特定したユーザー操作を受け付け、当該ユーザー操作に対応する制御信号を制御部１００などに出力する。
【００２３】
ドラッグ方向検出部１０２は、操作受付部１０１により受け付けられたドラッグ操作の方向を検出する。ドラッグ量検出部１０３は、操作受付部１０１により受け付けられたドラッグ操作のドラッグ量を検出する。
【００２４】
表示制御部１０４は、表示部４７３の表示制御を行う。例えば、表示制御部１０４は、操作画面を表示部４７３に表示させるとともに、画像形成装置１に予め定められた状態の変化が生じた場合に、当該変化の内容を示す通知画像を操作画面上に、それまでの表示情報に重ねて表示させる。
【００２５】
通知画像は、一時的に表示される一時的通知画像と、中長期的に表示される中長期的通知画像とに分けられる。中長期的通知画像は、さらに、（１）予め定められた中長期的な時間で表示され、時間が経過すると表示が不要になる中期的通知画像と、（２）時間経過とは無関係に表示が維持され続ける長期的通知画像とに分けられる。
【００２６】
一時的通知画像としては、例えば、給紙される用紙サイズの変更を示したものが挙げられ、このような通知画像は数秒程度表示すれば十分と考えられる。
【００２７】
中期的通知画像としては、例えば、スキャナーがクリーニング中であることを示したものが挙げられ、このような通知画像は処理に必要な時間が経過するまで（スキャナーのクリーニングが完了するまで）の表示で十分である。
【００２８】
長期的通知画像としては、例えば、故障発生や使用制限を示したものが挙げられ、故障が発生していることを示す通知画像は、故障が直るまで表示する必要があり、使用制限を示す通知画像は、管理者による制限の解除が行われるまで表示する必要がある。
【００２９】
次に、制御ユニット１０における通知画像を表示部４７３に表示させる処理動作を、図２に示したフローチャートを参照して説明する。なお、この処理動作は、制御部１００が、画像形成装置１に予め定められた状態の変化が生じたと判断した場合に行われる動作である。
【００３０】
制御部１００が、当該状態の変化が生じたと判断すると、表示制御部１０４が、制御部１００から出力される状態変化の内容を示した情報に基づいて、当該変化の内容を示す通知画像を生成し（Ｓ１）、生成した通知画像を表示部４７３に表示されている操作画面Ｄ１（図３、図４）上の予め定められた領域Ｅ１（図４）に表示させる（Ｓ２）。なお、表示制御部１０４による当該生成は、制御ユニット１０に内蔵されるメモリー等に記憶された通知画像を読み出して、当該通知画像を、表示部４７３での表示対象として決定することも含む。
【００３１】
図３は、表示部４７３に表示される操作画面Ｄ１の一例を示した図である。図４は、操作画面Ｄ１上に通知画像が表示された状態の一例を示した図である。図４（Ａ）は、一時的通知画像Ｇａの一例であり、給紙される用紙のサイズがＡ３からＡ４に変更されたことを示している。図４（Ｂ）は、中期的通知画像Ｇｂの一例であり、スキャナーがクリーニング中であること、そしてクリーニング完了までの残り時間「５分５０秒」を示している。図４（Ｃ）は、長期的通知画像Ｇｃの一例であり、給紙カセットに故障が生じていることを示している。
【００３２】
続いて、表示制御部１０４は、表示部４７３に表示させた通知画像が一時的通知画像Ｇａであるか否かを判断する（Ｓ３）。なお、通知画像が一時的通知画像Ｇａ、中期的通知画像Ｇｂ、長期的通知画像Ｇｃのいずれであるかは、制御部１００から出力される状態変化の内容を示した情報に基づいて判断することができる。
【００３３】
例えば、状態変化の内容が用紙サイズの変更であれば、一時的通知画像Ｇａと判断し、状態変化の内容がスキャナーのクリーニングであれば、中期的通知画像Ｇｂと判断し、状態変化の内容が故障の発生であれば、長期的通知画像Ｇｃと判断する。
【００３４】
表示制御部１０４が、通知画像が一時的通知画像Ｇａであると判断した場合（Ｓ３でＹＥＳ）、表示制御部１０４は、表示部４７３に通知画像（一時的通知画像Ｇａ）を表示させてから予め定められた設定時間（例えば、５秒）が経過したか否かを判断し（Ｓ４）、表示制御部１０４は、設定時間を経過したと判断した場合（Ｓ４でＹＥＳ）、通知画像（一時的通知画像Ｇａ）を表示部４７３から消去する（Ｓ５）。
【００３５】
一方、表示制御部１０４が、通知画像が一時的通知画像Ｇａではない（通知画像は中期的通知画像Ｇｂ又は長期的通知画像Ｇｃである）と判断した場合（Ｓ３でＮＯ）、表示制御部１０４は、通知画像を消去させるための消去トリガーが発生したか否かを判断する（Ｓ６）。
【００３６】
表示制御部１０４は、消去トリガーが発生したと判断した場合（Ｓ６でＹＥＳ）、通知画像（中期的通知画像Ｇｂ又は長期的通知画像Ｇｃ）を表示部４７３から消去する（Ｓ７）。
【００３７】
中期的通知画像Ｇｂが、スキャナーがクリーニング中であることを示すものである場合、スキャナーのクリーニングが完了すると、その完了を示す信号が消去トリガーとして制御部１００から表示制御部１０４へ出力される。長期的通知画像Ｇｃが、故障発生を示すものである場合、故障の修理が完了すると、その完了を示す信号が消去トリガーとして制御部１００から表示制御部１０４へ出力される。
【００３８】
次に、制御ユニット１０における長期的通知画像Ｇｃを小サイズ化させる処理動作を、図５に示したフローチャートを参照して説明する。なお、この処理動作は、操作受付部１０１が、長期的通知画像Ｇｃに対するタップ操作を受け付けた場合に行われる動作である。
【００３９】
操作受付部１０１が、長期的通知画像Ｇｃに対するタップ操作を受け付けると、表示制御部１０４が、小サイズ化した長期的通知画像Ｇｃ１を生成し（Ｓ１１）、表示制御部１０４が、通常サイズの長期的通知画像Ｇｃを表示部４７３から消去するとともに（Ｓ１２）、小サイズ化した長期的通知画像Ｇｃ１を表示部４７３の予め定められた領域Ｅ２（図６）に表示させる（Ｓ１３）。領域Ｅ２は、操作画面Ｄ１により表示している表示情報の表示を阻害しない予め定められた領域である。領域Ｅ２は、例えば、操作画面Ｄ１の上端部左側の余白部（ユーザーに対するメッセージを表示しない領域として予め定められている領域）が挙げられる。
【００４０】
図６（Ａ）は、通常サイズの長期的通知画像Ｇｃが領域Ｅ１に表示された状態を示し、図６（Ｂ）は、小サイズ化した長期的通知画像Ｇｃ１が領域Ｅ２に表示された状態を示している。図６に示したように、通常サイズの長期的通知画像Ｇｃがタップ操作されると、表示制御部１０４により、小サイズ化した長期的通知画像Ｇｃ１が表示される。
【００４１】
続いて、操作受付部１０１が、小サイズ化した長期的通知画像Ｇｃ１に対するタップ操作がユーザーからなされたか否かを判断し（Ｓ１４）、操作受付部１０１が、小サイズ化した長期的通知画像Ｇｃ１に対するタップ操作を受け付けた場合（Ｓ１４でＹＥＳ）、表示制御部１０４は、小サイズ化した長期的通知画像Ｇｃ１を表示部４７３から消去するとともに（Ｓ１５）、通常サイズの長期的通知画像Ｇｃを表示部４７３の領域Ｅ１に表示させる（Ｓ１６）。すなわち、表示制御部１０４は、長期的通知画像Ｇｃの表示状態を小サイズ化される前の状態に戻す。
【００４２】
次に、制御ユニット１０における中期的通知画像Ｇｂを小サイズ化させる処理動作を、図７に示したフローチャートを参照して説明する。なお、この処理動作は、操作受付部１０１が、中期的通知画像Ｇｂに対するタップ操作を受け付けた場合に行われる動作である。
【００４３】
操作受付部１０１が、中期的通知画像Ｇｂに対するタップ操作を受け付けると、表示制御部１０４が、小サイズ化した中期的通知画像Ｇｂ１を生成し（Ｓ２１）、表示制御部１０４が、通常サイズの中期的通知画像Ｇｂを表示部４７３から消去するとともに（Ｓ２２）、小サイズ化した中期的通知画像Ｇｂ１を表示部４７３の領域Ｅ３（図８）に表示させる（Ｓ２３）。領域Ｅ３は、操作画面Ｄ１上のいずれの位置でも構わないが、本実施形態では、領域Ｅ３が、上記領域Ｅ２とは異なる位置とされている例を示している。
【００４４】
続いて、操作受付部１０１が、小サイズ化した中期的通知画像Ｇｂ１に対するタップ操作がユーザーからなされたか否かを判断し（Ｓ２４）、操作受付部１０１が、小サイズ化した中期的通知画像Ｇｂ１に対するタップ操作を受け付けた場合（Ｓ２４でＹＥＳ）、表示制御部１０４は、小サイズ化した中期的通知画像Ｇｂ１を表示部４７３から消去するとともに（Ｓ２５）、通常サイズの中期的通知画像Ｇｂを表示部４７３の領域Ｅ１に表示させる（Ｓ２６）。すなわち、中期的通知画像Ｇｂの表示状態を小サイズ化される前の状態に戻す。
【００４５】
一方、操作受付部１０１が、小サイズ化した中期的通知画像Ｇｂ１に対するタップ操作を受け付けていない場合（Ｓ２４でＮＯ）、操作受付部１０１が、小サイズ化した中期的通知画像Ｇｂ１に対するドラッグ操作がユーザーからなされたか否かを判断する（Ｓ２７）。
【００４６】
操作受付部１０１が、小サイズ化した中期的通知画像Ｇｂ１に対するドラッグ操作を受け付けた場合（Ｓ２７でＹＥＳ）、ドラッグ方向検出部１０２が、操作受付部１０１により受け付けられたドラッグ操作の方向を検出し（Ｓ２８）、ドラッグ量検出部１０３が、操作受付部１０１により受け付けられたドラッグ操作のドラッグ量を検出し（Ｓ２９）、表示制御部１０４が、ドラッグ方向検出部１０２によって検出されたドラッグ方向と、ドラッグ量検出部１０３により検出されたドラッグ量とに基づいて、操作画面Ｄ１上で小サイズ化した中期的通知画像Ｇｂ１を移動させる（Ｓ３０）。すなわち、表示制御部１０４は、ドラッグ方向検出部１０２によって検出されたドラッグ方向から算出した移動方向と、ドラッグ量検出部１０３により検出されたドラッグ量から算出した移動量で、小サイズ化した中期的通知画像Ｇｂ１を操作画面Ｄ１上で移動させる。
【００４７】
一方、操作受付部１０１が、小サイズ化した中期的通知画像Ｇｂ１に対するドラッグ操作を受け付けていない場合（Ｓ２７でＮＯ）、Ｓ２４へ戻る。
【００４８】
図８（Ａ）は、通常サイズの中期的通知画像Ｇｂが領域Ｅ１に表示された状態を示し、図８（Ｂ）は、小サイズ化した中期的通知画像Ｇｂ１が領域Ｅ３に表示された状態を示し、図８（Ｃ）は、小サイズ化した中期的通知画像Ｇｂ１が移動された状態を示している。図８に示したように、通常サイズの中期的通知画像Ｇｂがタップ操作されると、小サイズ化した中期的通知画像Ｇｂ１が表示され、小サイズ化した中期的通知画像Ｇｂ１が矢印Ａ１の方向にドラッグ操作されると、小サイズ化した中期的通知画像Ｇ１が矢印Ａ１の方向に移動する。
【００４９】
上記第１実施形態によれば、状態変化の内容を示す通知画像（一時的通知画像Ｇａ、中期的通知画像Ｇｂ、長期的通知画像Ｇｃ）が操作画面Ｄ１上に表示される。すなわち、当該通知画像が操作画面Ｄ１上に割り込み表示されるので、状態変化の内容をユーザーに的確に通知することができる。また、中期的通知画像Ｇｂ及び長期的通知画像Ｇｃはユーザーからの要求に応じて、小サイズ化される。すなわち、一時的な表示で終わらない中期的通知画像Ｇｂ及び長期的通知画像Ｇｃについては、小サイズ化が可能であり、ユーザー操作の邪魔となりにくいようにすることができる。従って、機器における状態変化の内容をユーザーへ的確に通知しつつ、操作性の低下を回避することができる。
【００５０】
また、小サイズ化した長期的通知画像Ｇｃ１は、ユーザー操作に支障のない領域Ｅ２に表示され、その領域Ｅ２で固定されるのに対し、小サイズ化した中期的通知画像Ｇｂ１は、領域Ｅ２とは異なる領域Ｅ３で表示される。また、小サイズ化した中期的通知画像Ｇｂ１については、ドラッグ操作によって移動可能である。すなわち、中期的通知画像Ｇｂよりも長く表示される可能性の高い長期的通知画像Ｇｃについては、表示に更なる制限が設けられている。
【００５１】
従って、小サイズ化した長期的通知画像Ｇｃ１は、操作画面Ｄ１により表示している表示情報の表示を阻害しない予め定められた領域である領域Ｅ２に表示されることで、表示による通知が必要な時間の長短に応じて、小サイズ化した中期的通知画像Ｇｂ１とは表示態様が異なっているため、長期的通知画像及び中期的通知画像のそれぞれが表示するメッセージの内容の違いに応じて個別に、画像形成装置１における状態変化の内容をユーザーへ的確に通知しつつも、操作性低下の回避を図ることができる。
【００５２】
なお、本発明は上記実施の形態の構成に限られず種々の変形が可能である。また、上記実施形態では、本発明に係る表示制御装置の一実施形態として複合機を用いて説明しているが、これは一例に過ぎず、他の電子機器、例えば、コピー機、ファクシミリ機、プリンター等の他の画像形成装置でもよいし、更には、パーソナルコンピューターやモバイル機器等であってもよい。
【００５３】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００５４】
１          画像形成装置
１２        画像形成部
１０１      操作受付部
１０２      ドラッグ方向検出部
１０３      ドラッグ量検出部
１０４      表示制御部
４７３      表示部
【図１】
2018018455.tif 000003
【図２】
2018018455.tif 000004
【図３】
2018018455.tif 000005
【図４】
2018018455.tif 000006
【図５】
2018018455.tif 000007
【図６】
2018018455.tif 000008
【図７】
2018018455.tif 000009
【図８】
2018018455.tif 000010